(57)【特許請求の範囲】
【請求項１】
第１壁及び当該第１壁に交差する第２壁によって規定されるコーナー部に設置可能なコーナー型洗面台であって、
ボウル部を有するカウンター部材と、
前記ボウル部に温水を吐水可能な水栓と、
前記カウンター部材の下方に配置されて、前記水栓に温水を供給する電気温水器と、
前記カウンター部材の下方に配置されて、上流側の一端が前記ボウル部に設けられた排水口に接続され、下流側の他端が排水管に接続されている排水トラップと、を備え、
前記カウンター部材の下方には、前記第１壁に沿って規定される第１収容空間と、前記第２壁に沿って規定される第２収容空間とが形成されており、
前記第１収容空間と前記第２収容空間とは、前記第１壁と前記第２壁との交差線を通って前記ボウル部を二等分する中心仮想平面によって区切られ、
前記電気温水器は、前記第１収容空間及び前記第２収容空間のうちの一方に配置され、前記排水トラップの全体は、前記第１収容空間及び前記第２収容空間のうちの他方に配置され、
前記電気温水器が配置される前記第１収容空間及び前記第２収容空間のうちの一方において、前記第１壁又は前記第２壁と交差する交差方向にて、前記電気温水器よりも前記交差方向の前方には空間が設けられる、コーナー型洗面台。
【請求項２】
前記第１収容空間及び前記第２収容空間の下方には、車椅子使用者のつま先を受け入れ可能な受け入れ空間が形成されている、請求項１に記載のコーナー型洗面台。
【請求項３】
前記カウンター部材の下方で、前記第１収容空間及び前記第２収容空間よりも前記カウンター部材の前縁側である前方に配置されて、前記電気温水器又は前記排水トラップへの車椅子使用者の下肢の衝突を防止する衝突防止板をさらに備える、請求項１又は２に記載のコーナー型洗面台。
【請求項４】
前記電気温水器は、前記第１収容空間に配置される場合に前記第２壁との間に配管用の空間を規定し、前記第２収容空間に配置される場合に前記第１壁との間に配管用の空間を規定する、請求項１〜３のいずれか１項に記載のコーナー型洗面台。
【請求項５】
前記第１壁に沿って配置されて前記カウンター部材を支持する第１側板と、
前記第２壁に沿って配置されて前記カウンター部材を支持する第２側板と、をさらに備え、
前記第１側板及び前記第２側板には配管用の開口が形成される、請求項１〜４のいずれか１項に記載のコーナー型洗面台。
【発明の詳細な説明】
【技術分野】
【０００１】
本発明は、互いに交差する一対の壁によって形成されるコーナー部に設置可能なコーナー型洗面台に関する。
【背景技術】
【０００２】
特許文献１には、例えば洗面所の１つの壁に沿って設置される洗面台が開示されている。この洗面台では、カウンター部材の下方に空間が形成されている。カウンター部材が固定された壁は車椅子使用者の正面に対向しているので、この空間は壁に沿って直方体の形状を有している。従って、この空間には例えば直方体の輪郭を有する電気温水器や排水トラップを収容しやすく、また、車椅子使用者の下肢を受け入れる空間も容易に確保することができる。
【先行技術文献】
【特許文献】
【０００３】
【特許文献１】特開２００４−０１１９４０号公報
【特許文献２】特開２００４−２８６３１４号公報
【特許文献３】特開２００３−２７５１１３号公報
【発明の概要】
【発明が解決しようとする課題】
【０００４】
例えば互いに交差する２つの壁によって形成されたコーナー部に設置されるコーナー型洗面台の場合、そのカウンター部材の下方には三角柱の形状を有する空間が形成される。従って、例えば直方体の輪郭を有する電気温水器や排水トラップを収容するには大きな空間的制約がある。加えて、車椅子使用者の下肢が電気温水器等に衝突しないように電気温水器等を配置しなければならない。
【０００５】
本発明はこのような課題に鑑みてなされたものであり、その目的は、カウンター部材の下方の空間に電気温水器等を効率良く配置することができるコーナー型洗面台を提供することにある。
【課題を解決するための手段】
【０００６】
上記課題を解決するために、本発明に係るコーナー型洗面台は、第１壁及び当該第１壁に交差する第２壁によって規定されるコーナー部に設置可能なコーナー型洗面台であって、ボウル部を有するカウンター部材と、前記ボウル部に温水を吐水可能な水栓と、前記カウンター部材の下方に配置されて、前記水栓に温水を供給する電気温水器と、前記カウンター部材の下方に配置されて、上流側の一端が前記ボウル部に設けられた排水口に接続され、下流側の他端が排水管に接続されている排水トラップと、を備える。このコーナー型洗面台において、前記カウンター部材の下方には、前記第１壁に沿って規定される第１収容空間と、前記第２壁に沿って規定される第２収容空間とが形成されており、前記第１収容空間と前記第２収容空間とは、前記第１壁と前記第２壁との交差線を通って前記ボウル部を二等分する中心仮想平面によって区切られ、前記電気温水器は、前記第１収容空間及び前記第２収容空間のうちの一方に配置され、前記排水トラップの全体は、前記第１収容空間及び前記第２収容空間のうちの他方に配置され、前記電気温水器が配置される前記第１収容空間及び前記第２収容空間のうちの一方において、前記第１壁又は前記第２壁と交差する交差方向にて、前記電気温水器よりも前記交差方向の前方には空間が設けられる。
【０００７】
このような構成によれば、第１壁及び第２壁によって規定されるコーナー部にコーナー型洗面台が設置されるので、カウンター部材の下方には、空間的制約が大きな例えば三角柱の形状の収容空間が形成される。本発明に係るコーナー型洗面台では、第１壁に沿って規定される第１収容空間及び第２壁に沿って規定される第２収容空間のうちの一方に電気温水器が配置され、第１収容空間及び第２収容空間のうちの他方に排水トラップが配置されるので、カウンター部材の下方に電気温水器及び排水トラップを効率良く配置することができる。その結果、カウンター部材の下方の空間に車椅子使用者の下肢を進入させる空間を有効に確保することができ、コーナー型洗面台に対する車椅子使用者のアクセス性を向上させることができる。
【０００８】
また、本発明に係るコーナー型洗面台では、前記第１収容空間及び前記第２収容空間の下方に、車椅子使用者のつま先を受け入れ可能な受け入れ空間が形成されている。
【０００９】
このような構成によれば、例えば車椅子使用者は自身のつま先を受け入れ空間に進入させることができるので、コーナー型洗面台に対する車椅子使用者のアクセス性を確実に向上させることができる。
【００１０】
またさらに、本発明に係るコーナー型洗面台は、前記カウンター部材の下方で、前記第１収容空間及び前記第２収容空間よりも前記カウンター部材の前縁側である前方に配置されて、前記電気温水器又は前記排水トラップへの車椅子使用者の下肢の衝突を防止する衝突防止板をさらに備える。
【００１１】
このような構成によれば、第１収容空間及び第２収容空間よりも前方に衝突防止板が配置されるので、例えば車椅子使用者がコーナー型洗面台に向かって車椅子を前進させる際に車椅子使用者の下肢が電気温水器や排水トラップに衝突することを有効に防止することができる。その結果、電気温水器や排水トラップの破損を確実に回避することができる。また、衝突防止板によって電気温水器や排水トラップを隠すことができるので、コーナー型洗面台の見栄えを向上させることもできる。
【００１２】
また、本発明に係るコーナー型洗面台では、前記電気温水器は、前記第１収容空間に配置される場合に前記第２壁との間に配管用の空間を規定し、前記第２収容空間に配置される場合に前記第１壁との間に配管用の空間を規定する。
【００１３】
このような構成によれば、電気温水器が第１収容空間に配置される場合に電気温水器と第２壁との間に配管用の空間が確保されるので、第２収容空間に配置される排水トラップから第１壁に延びる例えば排水用の配管のための空間を確実に確保することができる。また、電気温水器が第２収容空間に配置される場合に、第１収容空間に配置される排水トラップから第２壁に延びる例えば排水用の配管のための空間を確実に確保することができる。その結果、例えば互いに隣接する２部屋を仕切る１つの壁の両面から排水用の配管が延びている場合に、一方の部屋では例えば第２壁から延びる配管を利用することができ、他方の部屋では例えば第１壁から延びる配管を利用することができる。従って、２部屋のいずれにも本発明に係るコーナー型洗面台を設置することができるので、コーナー型洗面台の設置の汎用性を高めることができる。
【００１４】
またさらに、本発明に係るコーナー型洗面台は、前記第１壁に沿って配置されて前記カウンター部材を支持する第１側板と、前記第２壁に沿って配置されて前記カウンター部材を支持する第２側板と、をさらに備える。このコーナー型洗面台において、前記第１側板及び前記第２側板には配管用の開口が形成される。
【００１５】
このような構成によれば、コーナー型洗面台が、カウンター部材を支持するための側板側板に形成された配管用の開口を通じて配管をカウンター部材の下方の収容空間内に引き込むことができるので、第１壁及び第２壁のいずれの壁から配管が延びている場合であっても共通のコーナー型洗面台を設置することができる。その結果、コーナー型洗面台の設置の汎用性を高めることができる。
【発明の効果】
【００１６】
本発明によれば、カウンター部材の下方の空間に電気温水器等を効率良く配置することができるコーナー型洗面台を提供することができる。
【図面の簡単な説明】
【００１７】
【図１】本発明の一実施形態に係るコーナー型洗面台の外観を概略的に示す斜視図である。
【図２】本発明の一実施形態に係るコーナー型洗面台の正面図である。
【図３】本発明の一実施形態に係るコーナー型洗面台の平面図である。
【図４】カウンター部材を取り外した状態のコーナー型洗面台の構造を概略的に示す平面図である。
【図５】衝突防止板を取り外した状態のコーナー型洗面台の構造を概略的に示す正面図である。
【図６】本発明の一実施形態に係るコーナー型洗面台の背面図である。
【図７】車椅子使用者がコーナー型洗面台を使用する様子を概略的に示す断面図である。
【図８】図４に対応し、カウンター部材を取り外した状態の本発明の別の実施形態に係るコーナー型洗面台の構造を概略的に示す平面図である。
【発明を実施するための形態】
【００１８】
以下、添付図面を参照しながら本発明の実施形態について説明する。説明の理解を容易にするため、各図面において同一の構成要素に対しては可能な限り同一の符号を付して、重複する説明は省略する。図１は、本発明の一実施形態に係るコーナー型洗面台１０の外観を概略的に示す斜視図である。コーナー型洗面台１０は、互いに交差する第１壁１１及び第２壁１２によって規定されたコーナー部１３に設置される。第１壁１１及び第２壁１２は、床面に直交する鉛直交差線ＣＬにおいて例えば９０度の角度で交差している。第１壁１１及び第２壁１２は、室内の壁でもよく、室外の壁でもよい。なお、第１壁１１及び第２壁１２はその一部分のみを図示している。
【００１９】
図２は、本発明の一実施形態に係るコーナー型洗面台１０の正面図である。図２を併せて参照すると、コーナー型洗面台１０は、第１壁１１に沿って配置された平板状の第１側板１４と、第２壁１２に沿って配置された平板状の第２側板１５と、を備えている。第１側板１４及び第２側板１５は互いに９０度の角度で前述の鉛直交差線ＣＬにおいて交差している。第１側板１４及び第２側板１５は、その下端で床面Ｆに受け止められ、その上端でカウンター部材１６を支持している。第１側板１４及び第２側板１５は例えばねじ１７などの固定部材によって第１壁１１及び第２壁１２にそれぞれ固定されている。
【００２０】
カウンター部材１６は、ボウル部１９と、このボウル部１９に一体化されて例えば床面に平行に広がるカウンター本体２０と、を備えている。カウンター本体２０はその後縁で第１側板１４及び第２側板１５の上端に受け止められるとともに、例えばＬ字ブラケット１８、１８によって第１側板１４及び第２側板１５にそれぞれ固定されている（図２参照）。カウンター部材１６は例えば陶器や人工大理石などの材料から形成されている。なお、他の実施形態として、ボウル部１９はカウンター本体２０とは別体に形成されていてもよい。カウンター本体２０には、ボウル部１９に向かって水や温水を吐水する水栓２１が取り付けられている。
【００２１】
図３は、本発明の一実施形態に係るコーナー型洗面台１０の平面図である。図１〜図３を併せて参照すると、水栓２１は、レバー２１ａと、水や温水を吐水する吐水口２１ｂと、を備えている。この水栓２１では、例えば、レバー２１ａの上げ下げによって吐水と止水とを切り替えることができ、レバー２１ａの左右の回転によって吐水される水の温度を調整することができる。ボウル部１９内には排水口２２が形成されており、水栓２１から吐水された水や温水は排水口２２から排出される。なお、水栓２１には、例えば差し出した手を検出するセンサによって水や温水が自動的に吐水される自動水栓が用いられてもよい。
【００２２】
カウンター部材１６は、鉛直交差線ＣＬに対向する前縁１６ａに例えば車椅子使用者の正面位置を規定する（図３参照）。言い替えれば、この前縁１６ａに車椅子使用者の胸のあたりが対向する。前縁１６ａは、第１壁１１及び第２壁１２に同一の角度（４５度）で交差する仮想直線ＶＬに沿って延びている。本実施形態では、第１壁１１から第２壁１２まで延びる仮想直線ＶＬの長さ、すなわち、コーナー型洗面台１０の間口は例えば１５００ｍｍ程度に設定される。前縁１６ａにおけるカウンター部材１６の床面Ｆからの高さは、例えば車椅子使用者の胸の高さに応じて設定される。胸の高さは例えば日本人の平均身長に基づき算出される。
【００２３】
カウンター部材１６はさらに、前縁１６ａの一端から第１壁１１まで延びる第１側縁１６ｂと、前縁１６ａの他端から第２壁１２まで延びる第２側縁１６ｃと、第１壁１１に接する第１後縁１６ｄと、第２壁１２に接する第２後縁１６ｅと、を規定している。第１後縁１６ｄ及び第２後縁１６ｅの長さ、すなわち、コーナー型洗面台１０の壁面設置寸法はそれぞれ例えば７００ｍｍ程度に設定される。本実施形態では、第１側縁１６ｂ及び第２側縁１６ｃは第１壁１１及び第２壁１２に対して直交する方向に延びている。なお、カウンター本体２０において、水栓２１の後方にあって第１後縁１６ｄ及び第２後縁１６ｅによって規定される三角形の領域は例えば鏡の配置スペースとして用いられる。
【００２４】
図４は、カウンター部材１６を取り外した状態のコーナー型洗面台１０の構造を概略的に示す平面図である。図１、図２及び図４を併せて参照すると、コーナー型洗面台１０は、床面Ｆから所定の高さで直立するアプローチ規制部２３を備える。アプローチ規制部２３は、鉛直交差線ＣＬよりもカウンター部材１６の前縁１６ａ側に前方に所定の距離で鉛直交差線ＣＬから離間して配置される。本実施形態では、アプローチ規制部２３は、鉛直交差線ＣＬに平行で第１壁１１及び第２壁１２に同一の角度（４５度）で交差する仮想平面（図示せず）に沿って広がる平板から構成される。
【００２５】
図１及び図４から明らかなように、アプローチ規制部２３は、カウンター部材１６の前縁１６ａから鉛直交差線ＣＬに向かって後方に所定の距離で床面Ｆから直立している。アプローチ規制部２３よりもカウンター部材１６の前縁１６ａ側の前方の空間は、後述するように、例えば車椅子使用者のつま先を受け入れ可能な受け入れ空間を形成する。アプローチ規制部２３の床面Ｆからの高さは、車椅子使用者のつま先の高さに応じて設定される。つま先の高さは例えば日本人の平均身長等に基づき設定される。
【００２６】
コーナー型洗面台１０はさらに、カウンター部材１６の下方に配置される衝突防止板２４をさらに備える。衝突防止板２４は、アプローチ規制部２３よりも上方かつ前方に配置されている。衝突防止板２４は、アプローチ規制部２３の前面に沿って広がる仮想平面に平行な仮想平面（図示せず）に沿って広がる平板から構成される。図２から明らかなように、アプローチ規制部２３と衝突防止板２４との間には高さ方向に所定の間隔が形成されている。衝突防止板２４は車椅子使用者の膝やすねが対向する位置に配置されている。アプローチ規制部２３及び衝突防止板２４は例えばねじ２５などの固定部材によって第１側板１４及び第２側板１５に固定されている。
【００２７】
図５は、衝突防止板２４を取り外した状態のコーナー型洗面台１０の構造を概略的に示す正面図である。特に図４及び図５を参照すると、カウンター部材１６の下方には、電気温水器２６及び排水トラップ２７が収容される例えば三角柱の形状の収容空間が形成されている。収容空間は、第１壁１１すなわち第１側板１４に沿って規定される第１収容空間２８と、第２壁１２すなわち第２側板１５に沿って規定される第２収容空間２９と、から構成されている。本実施形態では、第１収容空間２８及び第２収容空間２９は、アプローチ規制部２３よりも上方の空間であって、それぞれ三角柱の形状を有する空間である。
【００２８】
第１収容空間２８と第２収容空間２９とは、例えば鉛直交差線ＣＬを通ってコーナー型洗面台１０を左右に二等分する中心仮想平面ＣＰによって区切られている（図４参照）。本実施形態では、電気温水器２６が第１収容空間２８に配置される一方で、排水トラップ２７が第２収容空間２９に配置される。電気温水器２６や排水トラップ２７は第１収容空間２８や第２収容空間２９内にその大部分が配置されていればよく、少なくともその一部分が第１収容空間２８や第２収容空間２９からはみ出していてもよい。第１収容空間２８及び第２収容空間２９の前方には衝突防止板２４が配置されているので、コーナー型洗面台１０の正面から電気温水器２６や排水トラップ２７を隠すことができる。このようにして衝突防止板２４は化粧板としての機能を果たしている。
【００２９】
図６は、第１壁１１及び第２壁１２から取り外された状態の本発明の一実施形態に係るコーナー型洗面台１０の背面図である。図６を併せて参照すると、第１側板１４及び第２側板１５には配管用の開口３１、３２がそれぞれ形成されている。図４、図５及び図６から明らかなように、本実施形態では、コーナー型洗面台１０に向かって左側の第１壁１１に給水管３３及び排水管３４が設置されており、従って、これら給水管３３及び排水管３４は第１側板１４の開口３１を通じて収容空間内に突出している。開口３１、３２の形状は、第１壁１１や第２壁１２に設置される給水管３３や排水管３４の位置に応じて適宜変更される。
【００３０】
図４及び図５から明らかなように、電気温水器２６は直方体の輪郭を有しており、本実施形態では、電気温水器２６は第１側板１４の表面に平行に第１側壁１４に固定されている。電気温水器２６の前面及び背面は第１側板１４に平行に広がっており、両側面は第２側板１５に平行に広がり、上面及び下面は床面Ｆに平行に広がる。電気温水器２６の後方側の側面と第２壁１２すなわち第２側板１５との間には給水管３３及び排水管３４などを含む配管用の空間３６が確保されている（図４参照）。本実施形態では、第１壁１１の表面に平行に電気温水器２６の後方側の側面と第２側板２５との間の距離は、例えば給水管３３の外径と排水管３４の外径とを加算した大きさよりも大きく設定される。
【００３１】
ここで、電気温水器２６は、電気温水器２６の筐体の内部に収容された貯湯タンクと、貯湯タンク内の水を所定の温度に加熱して維持するヒータと、を備えている（いずれも図示せず）。給水管３３は、電気温水器２６の貯湯タンクに接続されて貯湯タンクに水を供給する。前述した水栓２１のレバー２１ａの操作によって温水の吐水が選択されると、電気温水器２６の貯湯タンク内の温水が水栓２１に供給されて水栓２１から吐水される。その一方で、水の吐水が選択されると、給水管３３から直接水栓２１に水が供給される。レバー２１ａの操作によって選択された水温に応じて水と温水とが混合されて水栓２１に供給される。
【００３２】
図７は、車椅子使用者がコーナー型洗面台１０を使用する様子を概略的に示す断面図である。車椅子使用者３７が、その胸をカウンター部材１６の前縁１６ａに対向するように車椅子３８を前進させてカウンター部材１６の下方の空間に下肢を進入させていくと、車椅子使用者３７のつま先は当該つま先の受け入れ空間２３ａに進入していく。さらに車椅子３８が前進すると、車椅子使用者３７のつま先がアプローチ規制部２３に突き当たるので、車椅子使用者３７は車椅子３８の前進を停止させる。こうしてアプローチ規制部２３は車椅子３８のアプローチすなわち前進を規制する。この規制によって、車椅子使用者３７は、コーナー型洗面台１０の適切な使用位置に車椅子３８を停止させることができる。
【００３３】
このとき、図７から明らかなように、車椅子使用者３７の下肢すなわち膝やすねは衝突防止板２４よりカウンター部材１６の前縁１６ａ側すなわち手前側に配置されている。このように、衝突防止板２４の位置は、車椅子使用者３７の下肢が衝突防止板２４に当たらないようにアプローチ規制部２３に対して調整されている。また、仮に、車椅子使用者３７が、アプローチ規制部２３につま先が突き当たった後に車椅子３８をさらに前進させたとしても、車椅子使用者３７のすねや膝は衝突防止板２４に衝突するので、すねや膝が電気温水器２６や排水トラップ２７、給水管３３、排水管３４に衝突することを防止する。すなわち、衝突防止板２４は衝突防止板としての機能を果たすことができる。このようにして電気温水器２６や排水トラップ２７、給水管３３、排水管３４の破損を防止することができる。
【００３４】
以上のような構成によれば、第１壁１１及び第２壁１２によって規定されるコーナー部１３にコーナー型洗面台１０が設置されるので、カウンター部材１６の下方には、空間的制約が大きな三角柱の形状の収容空間が形成される。本発明に係るコーナー型洗面台１０では、第１壁１１に沿って規定される第１収容空間２８に電気温水器２６が配置され、第２壁１２に沿って規定される第２収容空間２９に排水トラップ２７が配置されるので、カウンター部材１６の下方に電気温水器２６及び排水トラップ２７を効率良く配置することができる。その結果、カウンター部材１６の下方の空間に車椅子使用者３７の下肢を進入させる空間を有効に確保することができ、コーナー型洗面台１０に対する車椅子使用者３７のアクセス性を向上させることができる。
【００３５】
また、第１収容空間２８及び第２収容空間２９の下方に、車椅子使用者３７のつま先を受け入れ可能な受け入れ空間２３ａが形成されているので、コーナー型洗面台１０に対する車椅子使用者３７のアクセス性を確実に向上させることができる。またさらに、第１収容空間２８及び第２収容空間２９よりも前方に衝突防止板２４すなわち衝突防止板が配置されるので、車椅子使用者３７の下肢が電気温水器２６や排水トラップ２７に衝突することを有効に防止することができる。また、衝突防止板２４によって電気温水器２６や排水トラップ２７を隠すことができるので、コーナー型洗面台１０の見栄えを向上させることもできる。
【００３６】
また、電気温水器２６と第２壁１２すなわち第２側板１５との間に配管用の空間３６が確保されるので、第２収容空間２９に配置される排水トラップ２７から第１壁１１に延びる排水管３４のための空間を確実に確保することができる。本実施形態では、この空間３６に、電気温水器２６の給水管３３を配置することができるので、本発明に係るコーナー型洗面台１０では給水管３３のための空間も確実に確保することができる。
【００３７】
図８は、図４に対応し、カウンター部材１６を取り外した状態の本発明の別の実施形態に係るコーナー型洗面台１０の構造を概略的に示す平面図である。この実施形態では、給水管３３及び排水管３４が、コーナー型洗面台１０に向かって右側の第２壁１２に設置されている点で前述の実施形態と異なる。従って、これら給水管３３及び排水管３４は第２側板１５の開口３２を通じて収容空間内に突出している。本実施形態では、電気温水器２６と第２壁１２すなわち第２側板１５との間の空間３６には給水管３３のみが配置されている。
【００３８】
以上のような構成によれば、前述の実施形態では、第１側板１４に形成された配管用の開口３１を通じて給水管３３や排水管３４をカウンター部材１６の下方の収容空間に引き込むことができる一方で、本実施形態では、第２側板１５に形成された配管用の開口３２を通じて給水管３３や排水管３４をカウンター部材１６の下方の収容空間内に容易に引き込むことができる。このような構成によれば、第１壁１１及び第２壁１２のいずれの壁から配管が延びている場合であっても共通のコーナー型洗面台１０を設置することができる。例えば互いに隣接する２部屋を仕切る１つの壁の両面から給水管３３や排水管３４が延びている場合に、一方の部屋では例えば第２壁１２から延びる配管を利用することができ、他方の部屋では例えば第１壁１１から延びる配管を利用することができる。従って、２部屋のいずれにも本発明に係るコーナー型洗面台１０を設置することができるので、コーナー型洗面台１０の設置の汎用性を高めることができる。
【００３９】
以上のようなコーナー型洗面台１０では、電気温水器２６が第２収容空間２９に配置される一方で、排水トラップ２７が第１収容空間２８に配置されてもよいことは言うまでもない。また、第１側板１４及び第２側板１５は省略されてもよく、その場合、カウンター部材１６は第１壁１１及び第２壁１２に直接固定されてもよい。また、給水管３３や排水管３４は、前述の第１壁１１や第２壁１２ではなく、床面Ｆに設置されてもよく、この場合、給水管３３や排水管３４は、アプローチ規制部２３の後方の空間に配置されることが好ましい。
【００４０】
以上の実施形態に加えて、上記実施形態で開示した具体例に当業者が適宜設計変更を加えたものも、本発明の特徴を備えている限りは本発明の範囲に包含される。例えば、前述した各実施形態が備える各要素およびその配置、材料、条件、形状、サイズなどは、例示したものに限定されるわけではなく適宜変更されてもよい。また、技術的に可能な限りにおいて、前述した各実施形態が備える各要素を組み合わせることができ、これらを組み合わせたものも本発明の特徴を含む限り本発明の範囲に包含される。
【符号の説明】
【００４１】
１０：コーナー型洗面台
１１：第１壁
１２：第２壁
１３：コーナー部
１４：第１側板
１５：第２側板
１６：カウンター部材
１６ａ：前縁
１９：ボウル部
２１：水栓
２２：排水口
２３ａ：受け入れ空間
２４：衝突防止板
２６：電気温水器
２７：排水トラップ
２８：第１収容空間
２９：第２収容空間
３１：配管用の開口
３２：配管用の開口
３６：配管用の空間
【図１】
0006565043.tif 000002
【図２】
0006565043.tif 000003
【図３】
0006565043.tif 000004
【図４】
0006565043.tif 000005
【図５】
0006565043.tif 000006
【図６】
0006565043.tif 000007
【図７】
0006565043.tif 000008
【図８】
0006565043.tif 000009